(57)【要約】【課題】ＰＣａＰＣ柱・梁の接合部パネル部分の信頼性、耐力増加を図る。パネル部分を超高強度コンクリートで予め製作することにより、従来のコンクリート打設時の充填不良懸念を解消する。【解決手段】ＰＣａＰＣ柱・梁の接合部の柱３０内に、梁１０、２０のＰＣ鋼材の端部定着体を形成する繊維で補強された反応粉体コンクリートから成るブロック６０をコアとして内蔵させておき、フープ筋３５は柱３０の主筋３３の外周のみに施すこととし、このブロック６０を通ってブロック内に、支圧プレート４２とアンカーヘッド４１のみからなるＰＣ鋼材の定着体４０を定着する。【選択図】        図１
2004190423.tif 000002
【特許請求の範囲】
【請求項１】
ＰＣａＰＣ柱・梁の接合部の柱内に、梁のＰＣ鋼材の端部定着体を形成する反応粉体コンクリートから成るブロックをコアとして内蔵させておき、該ブロックを通って該ブロック内にＰＣ鋼材の端部を定着することを特徴とするＰＣａＰＣ柱・梁の接合部のＰＣ鋼材定着方法。
【請求項２】
フープ筋は柱の主筋の外周のみに施すことを特徴とする請求項１記載のＰＣａＰＣ柱・梁の接合部のＰＣ鋼材定着方法。
【請求項３】
前記梁のＰＣ鋼材の定着体は支圧プレートとアンカーヘッドのみとしたことを特徴とする請求項１記載のＰＣａＰＣ柱・梁の接合部のＰＣ鋼材定着方法。
【発明の詳細な説明】
【０００１】
【発明の属する技術分野】
本発明は、ＰＣａＰＣ（プレキャストプレストレストコンクリート）柱・梁の接合部のＰＣ鋼材定着方法に関する。
【０００２】
【従来の技術】
ＰＣａＰＣ柱・梁の接合部で、柱が梁の端部に位置し、梁のＰＣケーブルを定着する部分の柱・梁接合部では、接合部コンクリート内にＰＣケーブルの定着体を装着する。このようなＰＣａＰＣ柱・梁の接合部の接合部パネル部分は、架構の中で最も高い耐力と信頼性を確保しなければならない部分である。ところがこのような部分では、コンクリート内に２方向の梁のＰＣケーブルの定着体が交差して装着されるので、フープ筋の納まりなどが著しく制約される。このようなＰＣａＰＣ柱・梁の接合部の複雑な納まりを確実に施工するため、定着体や鉄筋の組み立て、コンクリート打設・充填作業には、多くの手間が掛かっている。
【０００３】
また、鉄筋コンクリート外部柱梁接合部にプレストレス力を導入した接合部の静的正負繰返し漸増載荷試験を行い、緊張材の定着その他の条件が接合部の強度と変形に及ぼす影響が検討されている（例えば、非特許文献１参照。）。
【０００４】
この試験結果によれば、全ての試験体の接合部に大きな斜めのひび割れが入り、せん断破壊となり、梁曲げ降伏時の層せん断力の計算値に達していなかった。
【０００５】
【非特許文献１】
雑賀政年他：『梁に緊張力を導入した鉄筋コンクリート外部柱梁接合部の接合部せん断破壊（その１実験概要）』日本建築学会大会学術講演梗概集（北陸）  ２００２年８月  ｐ．６０９〜６１０
【０００６】
【発明が解決しようとする課題】
本発明は上記実情に鑑み開発されたもので、上記文献とは構造が多少異なるものではあるが、同様の問題を有すると考えられるＰＣａＰＣ柱・梁の接合部の接合部パネル部分の信頼性、耐力増加を図ることを目的とする。本発明は、パネル部分を予め超高強度のコンクリート部材で製作することにより、従来のコンクリート打設時の充填不安を併せて解消する。
【０００７】
【課題を解決するための手段】
本発明は、上記目的を達成するためになされたもので、その技術手段は、ＰＣａＰＣ柱・梁の接合部の柱内に、梁のＰＣ鋼材の端部定着体を形成する繊維で補強された反応粉体コンクリートから成るブロックをコアとして内蔵させておき、該ブロックを通って該ブロック内にＰＣ鋼材の端部を定着することを特徴とするＰＣａＰＣ柱・梁の接合部のＰＣ鋼材定着方法である。
【０００８】
ここで、反応粉体コンクリートとは、セメントを基材とし、珪砂、反応性微粉末（シリカフューム）などから構成されたコンクリートであり、高性能減水剤を使用し高流動性を持ち、締め固めを必要としない自己充填コンクリートである。反応粉体コンクリートの圧縮強度は２００Ｎ／ｍｍ2で、通常のコンクリートの５〜１０倍、曲げ強度は４５Ｎ／ｍｍ2で、通常のコンクリートの１０〜１５倍の強度を持ち、特殊な繊維で補強することにより繊維が引張に抵抗し、高い靱性が確保される。
【０００９】
本発明では例えばＰＣ鋼材の端部定着体を内蔵した角柱状の反応粉体コンクリートブロックを製造しておき、この反応粉体コンクリートブロックを柱・梁接合部を形成する柱の中にコアとして内蔵させる。
【００１０】
このＰＣａＰＣ柱・梁の接合部のＰＣ鋼材定着では、フープ筋は柱の主筋の外周のみに施すこととすれば定着部の配筋構造が簡単になり、配筋手間も節約されるので好適である。また、前記梁のＰＣ鋼材の定着体は支圧プレートとアンカーヘッドのみとすることができる。定着体はアンカーヘッド、支圧プレートまたはリブキャストアンカー、スパイラル筋を組み合わせた全体を云う。
【００１１】
反応粉体コンクリートは耐火性能が劣り、さらに色や錆び等による意匠性能が乏しいという弱点があるが、これらの点は、反応粉体コンクリートを包み込む従来のコンクリートによって解消することができる。
【００１２】
【発明の実施の形態】
以下、図面を参照して本発明の実施の形態を説明する。まず従来技術について説明する。
【００１３】
図３は従来のＰＣ建築物等の隅角部のＰＣａＰＣ柱・梁の接合部の配筋及びＰＣ定着構造を示す図であって、定着構造を示した平面図である。コンクリートはプロフィールのみ示している。図３のＣ−Ｃ矢視図を図４に示した。
【００１４】
梁１０は、幅６５０ｍｍＷ×高さ８５０ｍｍＨの断面を有し、上下左右４本のＰＣケーブル１１を配設している。ＰＣケーブル１１は各２ｃ−１１−φ１５．２ｍｍ（ＳＷＰＲ７Ｂ）でシース１２はφ８０ｍｍとなっている。梁１０は接続シース１３でシースを連結し、目地材１４を介して柱３０の側面に接続されている。ＰＣケーブル１１の定着体４０は、柱３０内に設けられている。
【００１５】
梁２０は幅５００ｍｍＷ×高さ１１００ｍｍＨの断面を有し、左右２本、上下３本の計６本のＰＣケーブル２１を配設している。梁２０もＰＣケーブル２１は各２ｃ−１１−φ１５．２ｍｍ（ＳＷＰＲ７Ｂ）で、シース２２はφ８０ｍｍとなっている。梁２０は、目地材２４を介して柱３０の側面に接続されている。ＰＣケーブル２１の定着体４０は、柱３０内に設けられている。
【００１６】
柱３０は断面９５０×１２００のプレキャストコンクリート柱であり、φ３６ｍｍ×１０本のＰＣ鋼棒３１を用い、φ６０ｍｍのシース３２を備えている。柱内のフープ筋３６、３７は柱・梁接合部内では、長辺側の４本の主筋３３を囲むＤ１３ｍｍφのフープ筋３６を上下に６段、短辺側の３本の主筋３３及びこれに隣接する長辺側の２本の計５本の主筋３３を囲むＤ１３ｍｍφのフープ筋３７を上下に３段に配設している。柱・梁接合部以外はすべての主筋３３を囲むフープ筋３５が配設されている。フープ筋はケーブル定着部をさけて、配置可能な部分を探して配筋されている。
【００１７】
柱・梁は、目地１４、２４を介して接合され、柱３０内に定着体４０が配設され、梁内のＰＣケーブル１１、２１の端部が定着されている。定着体４０は図１０に示すようにコンクリート内に支圧力を負担するスパイラル筋を設けている。このため、定着体同志の干渉を防止するために定着体や鉄筋等の配列が制約され、またフープ筋を配設するためにも多くの制約がある。
【００１８】
ＰＣａＰＣ柱・梁の接合部にはコンクリート内にＰＣ鋼より線の定着体が入り、フープ筋３５、３６等の納まりを制約する。一方、ＰＣａＰＣ柱・梁の接合部パネル部分は、架構の中で最も高い耐力と信頼性を確保しなければならない部分である。このため、複雑な納まりを確実に施工するため定着体４０や鉄筋３３、３４、３５、３６の組み立て、コンクリート打設、コンクリート充填作業には、多くの手間が掛かっている。
【００１９】
図１、図２は図３、図４と同じ寸法の柱・梁の接合部の本発明による実施例を示すもので、図１は平面図、図２は側面図である。柱３０のコア部には反応粉体コンクリート製のブロック６０を内蔵している。このブロック６０は圧縮強度が１５０〜２００Ｎ／ｍｍ2の繊維で補強された反応粉体コンクリート製である。例えば、Ｄｕｃｔａｌ（商品名：太平洋セメント株式会社製）等を使用する。
【００２０】
フープ筋３５は外周のみとし定着体部分は開放する。ＰＣ定着体４０は図９に示すように、支圧プレートとアンカーヘッドのみとしスパイラル筋等の支圧補強筋は不要となる。
【００２１】
このブロック６０には、ＰＣケーブル１１、２１の定着体４０を取付ける孔６１と支圧プレート６２が設けられている。反応粉体コンクリートは革新的な高強度コンクリートであるから、リブキャストアンカー、スパイラル筋は全く不要である。従って、定着構造がすっきりする。また柱梁結合部のフープ筋は削減することができる。
【００２２】
図５〜８はこの柱・梁取付部の製作順を示す工程図である。
【００２３】
図５に示すように、柱・梁の接合部の柱内のコアとなる反応粉体コンクリートからなるブロック６０を製作する。このブロック６０内には、ＰＣケーブルの定着部のトランペットシースが収納される孔６１及び支圧プレート６２が設けられている。
【００２４】
図６に示すように、ブロック６０の周囲には柱用のシース３２、鉄筋３３、フープ筋３５等及びラッパ管７１を組み立てる。
【００２５】
次いで、図７に示すように、鉄筋３３の外側に柱の型枠７２を組み立て、コンクリート打設７３を行う。コンクリート養生後脱型し、型枠７２を除去すると、図８に示すように柱３０が完成する。
【００２６】
図９は本発明に使用するＰＣケーブルの定着体４０を示す側面図、図１０は従来のＰＣケーブルの定着体４０を示す側面図を比較して示したものである。従来の定着体４０は、図１０に示すように、アンカーヘッド４１の奥にリブキャストアンカー４４、スパイラル筋４５、トランペットシース４３を配置し、これらの組み合わせであったが、本発明に用いる定着体４０は、支圧プレート４２とトランペットシース４３のみとなり、構造がきわめて簡単になった。
【００２７】
【発明の効果】
本発明によれば、ＰＣａＰＣ柱・梁の接合部の接合部パネル部分にコアとして超高強度のコンクリート部材である繊維で補強された反応粉体コンクリートからなるブロックを内蔵したので、せん断耐力の増加、信頼性の向上を図ることができ、ＰＣケーブルの定着体及び定着部の構造が簡単になり、柱・梁接合部の複雑な配筋設計等を簡易にし、従来のコンクリート打設時の充填不安が全くなく、信頼性の高い構造物となった。
【図面の簡単な説明】
【図１】実施例の柱・梁接合部の配筋及び定着部の構造を示す平面図である。
【図２】実施例の柱・梁接合部の配筋及び定着部の構造を示す側面図である。
【図３】従来の柱・梁接合部の配筋及び定着部の構造を示す平面図である。
【図４】従来の柱・梁接合部の配筋及び定着部の構造を示す側面図である。
【図５】柱・梁接合部の製作工程を示す工程図である。
【図６】柱・梁接合部の製作工程を示す工程図である。
【図７】柱・梁接合部の製作工程を示す工程図である。
【図８】柱・梁接合部の製作工程を示す工程図である。
【図９】実施例の定着体を示す側面図である。
【図１０】従来例の定着体を示す側面図である。
【符号の説明】
１０    梁
１１    ＰＣケーブル
１２    シース
１３    接続シース
１４    目地材
２０    梁
２１    ＰＣケーブル
２２    シース
２４    目地材
３０    柱
３１    ＰＣ鋼棒
３２    シース
３３、３４    鉄筋
３５、３６、３７    フープ筋
４０    定着体
４１    アンカーヘッド
４２    支圧プレート
４３    トランペットシース
４４    リブキャストアンカー
４５    スパイラル筋
４６    シース
６０    ブロック（コア、反応粉体コンクリート）
６１    孔
６２    定着板座
７１    スリーブ管
７２    型枠
７３    コンクリート打設
【図１】
2004190423.tif 000003
【図２】
2004190423.tif 000004
【図３】
2004190423.tif 000005
【図４】
2004190423.tif 000006
【図５】
2004190423.tif 000007
【図６】
2004190423.tif 000008
【図７】
2004190423.tif 000009
【図８】
2004190423.tif 000010
【図９】
2004190423.tif 000011
【図１０】
2004190423.tif 000012